(57)【要約】【課題】意図せずに固定された箇所から外れ、又は外れそうになることを防ぐことが可能な布保持具を提供する。【解決手段】布保持具１００・２００・３００・４００は、リュックサック２０のショルダーベルト２１、チェストベルト２２、ウエストベルト２３及び服１０の外側面のうちの少なくとも一つに固定することができる固定部材１１０・２１０・３１０・４１０と、前記固定された箇所をカバーするカバー部材１２０・２２０・３２０・４１０ａ・４２０ａと、タオル１を保持するための布保持機構１３０と、を備える。【選択図】図６
2017079888.tif 000002
【特許請求の範囲】
【請求項１】
リュックサックのショルダーベルト、チェストベルト、ウエストベルト及び服の外側面のうちの少なくとも一つに固定することができる固定部材と、
前記固定された箇所をカバーするカバー部材と、
前記固定部材に支持され、布を保持するための布保持機構と、
を備えることを特徴とする、
布保持具。
【請求項２】
前記布保持機構は、人の首に掛けられている布の端末を揺れないように保持することを特徴とする、
請求項１に記載の布保持具。
【請求項３】
前記カバー部材は、その一端部が前記固定部材に回動可能に取り付けられ、その一端部を中心にして回動することで、前記固定部材に対して開閉し、
前記布保持機構は、前記カバー部材と前記固定部材との間に布が配置されている状態で、前記カバー部材を前記固定部材に対して閉じることで、布を前記カバー部材と前記固定部材とで挟んで、布を前記カバー部材と前記固定部材との間から落ちないように保持することを特徴とする、
請求項１又は請求項２に記載の布保持具。
【請求項４】
前記固定部材には、袋及び／又は前記布を携帯するための携帯部材を連結可能であることを特徴とする、
請求項１〜請求項３のいずれか一項に記載の布保持具。
【請求項５】
前記固定部材は、底部を備え、
前記カバー部材は、前記底部から立ち上がる壁部と、カバー部と、を備え、
前記壁部は、対向配置される一対の側壁部と、前記一対の側壁部の間に架設される端壁部と、を備え、
前記カバー部は、前記底部、前記一対の側壁部、及び前記端壁部で囲まれる保持空間を介して、前記底部と対向配置され、
前記布保持機構は、前記保持空間に配置された布を、前記保持空間から落ちないように前記カバー部でおさえて保持することを特徴とする、
請求項１に記載の布保持具。
【請求項６】
前記布保持機構は、前記押さえ部に、人の首に掛けられている布の端末を揺れないように保持するための端末保持部を設けることを特徴とする、
請求項５に記載の布保持具。
【請求項７】
前記固定部材と対向配置される対向部を有し、前記固定部材に取り付けられる取付部材を備え、
前記布保持機構は、前記固定部材と前記対向部との間の空間である対向空間において、複数の突起部材を設けて、前記対向空間に挿入された布を複数の前記突起部材で挟持することにより前記対向空間から落ちないように保持することを特徴とする、
請求項１に記載の布保持具。
【請求項８】
リュックサックのショルダーベルト、チェストベルト、ウエストベルト及び服の外側面のうちの少なくとも一つに固定することができると共に、前記固定された箇所をカバーするカバー部材と、
前記カバー部材に設けられ、布を挿入することができる切れ目を有し、前記切れ目に布が挿入された状態を保持することができる布保持機構と、
を備えることを特徴とする、
布保持具。
【発明の詳細な説明】
【技術分野】
【０００１】
本発明は、布保持具に関する。
【背景技術】
【０００２】
登山等を行うときには、汗拭き用タオルを携帯することがある。
従来、タオルを服から落ちないように保持する技術は公知である（例えば、特許文献１）。
【０００３】
特許文献１に記載の技術は、保持帯１・２で人の首に掛けられているタオル３を保持するものである。しかし、服に保持帯１・２を留める加工を行い、服と保持帯１・２とを一体的に構成している。これにより、タオル３を使わないときには、保持帯１・２が邪魔になり、美観の点でも望ましくない。
そこで、タオル等の布を保持するための布保持具を、服とは別体で構成して、布保持具を必要に応じて服に固定することができるように構成する方法が考えられる。この場合、特許文献１のように保持帯１・２を服と一体的に構成する場合に比べて、布保持具が服から外れやすくなるおそれがある。
【先行技術文献】
【特許文献】
【０００４】
【特許文献１】実開昭６２−７５０１０号公報
【発明の概要】
【発明が解決しようとする課題】
【０００５】
本発明は、意図せずに固定された箇所から外れ、又は外れそうになることを防ぐことが可能な布保持具を提供する。
【課題を解決するための手段】
【０００６】
請求項１に記載の布保持具は、
リュックサックのショルダーベルト、チェストベルト、ウエストベルト及び服の外側面のうちの少なくとも一つに固定することができる固定部材と、
前記固定された箇所をカバーするカバー部材と、
前記固定部材に支持され、布を保持するための布保持機構と、
を備える。
【０００７】
請求項２に記載の布保持具においては、
前記布保持機構は、人の首に掛けられている布の端末を揺れないように保持する。
【０００８】
請求項３に記載の布保持具においては、
前記カバー部材は、その一端部が前記固定部材に回動可能に取り付けられ、その一端部を中心にして回動することで、前記固定部材に対して開閉し、
前記布保持機構は、前記カバー部材と前記固定部材との間に布が配置されている状態で、前記カバー部材を前記固定部材に対して閉じることで、布を前記カバー部材と前記固定部材とで挟んで、布を前記カバー部材と前記固定部材との間から落ちないように保持する。
【０００９】
請求項４に記載の布保持具においては、
前記固定部材には、袋及び／又は前記布を携帯するための携帯部材を連結可能である。
【００１０】
請求項５に記載の布保持具においては、
前記固定部材は、底部を備え、
前記カバー部材は、前記底部から立ち上がる壁部と、カバー部と、を備え、
前記壁部は、対向配置される一対の側壁部と、前記一対の側壁部の間に架設される端壁部と、を備え、
前記カバー部は、前記底部、前記一対の側壁部、及び前記端壁部で囲まれる保持空間を介して、前記底部と対向配置され、
前記布保持機構は、前記保持空間に配置された布を、前記保持空間から落ちないように前記カバー部でおさえて保持する。
【００１１】
請求項６に記載の布保持具においては、
前記布保持機構は、前記押さえ部に、人の首に掛けられている布の端末を揺れないように保持するための端末保持部を設ける。
【００１２】
請求項７に記載の布保持具においては、
前記固定部材と対向配置される対向部を有し、前記固定部材に取り付けられる取付部材を備え、
前記布保持機構は、前記固定部材と前記対向部との間の空間である対向空間において、複数の突起部材を設けて、前記対向空間に挿入された布を複数の前記突起部材で挟持することにより前記対向空間から落ちないように保持する。
【００１３】
請求項８に記載の布保持具においては、
リュックサックのショルダーベルト、チェストベルト、ウエストベルト及び服の外側面のうちの少なくとも一つに固定することができると共に、前記固定された箇所をカバーするカバー部材と、
前記カバー部材に設けられ、布を挿入することができる切れ目を有し、前記切れ目に布が挿入された状態を保持することができる布保持機構と、
を備える。
【発明の効果】
【００１４】
本発明によれば、布保持具の固定された箇所を、カバー部材で保護することができる。その結果、布保持具の固定された箇所に、木の枝、人の手等の障害物が接触して、布保持具が意図せずにショルダーベルト等の固定された箇所から外れ、又は外れそうになることを防ぐことが可能であるという効果を奏する。
【図面の簡単な説明】
【００１５】
【図１】（ａ）第一実施形態の布保持具の正面図、（ｂ）第一実施形態の布保持具の側面図。
【図２】（ａ）固定部材の正面図、（ｂ）固定部材の背面図、（ｃ）固定部材の側面図。
【図３】（ａ）服の外側面に固定部材が固定されて布保持具が装着された状態を示す図、（ｂ）服の外側面に固定部材が固定されたときの断面図。
【図４】（ａ）ショルダーベルトに固定部材が固定されるときの動作を示す正面図、（ｂ）図４（ａ）をショルダーベルトの延びる方向から見た図。
【図５】（ａ）チェストベルトに固定部材が固定されるときの動作を示す正面図、（ｂ）図５（ａ）をチェストベルトの延びる方向から見た図。
【図６】ショルダーベルト及びチェストベルトに固定部材がそれぞれ固定されて、布保持具がそれぞれ装着された状態を示す図。
【図７】（ａ）固定部材にカバー部材が装着されている動作を示す側面図、（ｂ）固定部材にカバー部材が装着された状態の固定部材及びカバー部材の側面図、（ｃ）固定部材にカバー部材が装着された状態の固定部材及びカバー部材の正面図。
【図８】（ａ）カバー部材に布保持機構が装着されている状態を示す正面図、（ｂ）カバー部材に布保持機構が装着されている動作を示す側面図。
【図９】（ａ）布保持機構の切れ目にタオルの端末を挿入している動作を示す図、（ｂ）布保持機構の切れ目にタオルの端末が挿入された状態を示す側面図。
【図１０】布保持機構でタオルの端末を揺れないように保持している状態を示す図。
【図１１】（ａ）携帯部材の正面図、（ｂ）携帯部材の側面図。
【図１２】（ａ）携帯部材の側面図、（ｂ）携帯部材の側面図。
【図１３】（ａ）固定部材に携帯部材を連結している状態を示す正面図、（ｂ）固定部材に携帯部材を連結している状態を示す正面図。
【図１４】（ａ）第二実施形態の布保持具の正面図、（ｂ）第二実施形態の布保持具の側面図。
【図１５】固定部材の正面図。
【図１６】（ａ）結束バンドで固定部材をショルダーベルトに固定している状態を示す正面図、（ｂ）結束バンドで固定部材をチェストベルトに固定している状態を示す正面図。
【図１７】（ａ）布保持具の正面図、（ｂ）布保持具の側面図。
【図１８】カバー部材が開閉している状態を示す側面図。
【図１９】（ａ）タオルを保持している状態を示す正面図、（ｂ）図１９（ａ）をカバー部材の他端部側から見た図。
【図２０】（ａ）固定部材に携帯部材を連結している状態を示す正面図、（ｂ）固定部材に携帯部材を連結している状態を示す正面図。
【図２１】（ａ）第二実施形態の布保持具の変形例の正面図、（ｂ）第二実施形態の布保持具の変形例の側面図。
【図２２】（ａ）固定部材を輪ゴムで服の外側面に固定している状態を示す正面図、（ｂ）固定部材を輪ゴムで服の外側面に固定している状態を示す側面図。
【図２３】結束バンドの余った部分を切断している状態を示す側面図。
【図２４】（ａ）第三実施形態の布保持具の斜視図、（ｂ）第三実施形態の布保持具の正面図。
【図２５】（ａ）布保持具の側面図、（ｂ）布保持具の側面図。
【図２６】布保持機構がタオルを保持している状態を示す斜視図。
【図２７】（ａ）結束バンドで固定部材をショルダーベルトに固定している状態を示す背面図、（ｂ）結束バンドで固定部材をチェストベルトに固定している状態を示す背面図。
【図２８】（ａ）紐部材で固定部材をショルダーベルトに固定している状態を示す背面図、（ｂ）紐部材で固定部材をチェストベルトに固定している状態を示す背面図。
【図２９】（ａ）ショルダーベルトに固定部材が固定されている状態を示す背面図、（ｂ）チェストベルトに固定部材が固定さている状態を示す背面図。
【図３０】第三実施形態の布保持具の変形例の斜視図。
【図３１】（ａ）第四実施形態の布保持具の正面図、（ｂ）第四実施形態の布保持具の側面図。
【図３２】（ａ）タオルを保持している状態を示す正面図、（ｂ）タオルを保持している状態を示す側面図。
【図３３】第三実施形態の布保持具の底部の変形例を示す背面図。
【図３４】第三実施形態の布保持具の側壁部の変形例を示す側面図。
【図３５】第三実施形態の底部の変形例を示す背面図。
【図３６】図１１（ａ）の携帯部材の背面図。
【発明を実施するための形態】
【００１６】
［第一実施形態］
布保持具は、タオル１等の布を保持するためのものである。布保持具は、例えば、登山時に用いられる。布保持具が保持するタオル１等の布は、例えば、汗拭き用の布である。
布保持具の第一実施形態である布保持具１００について説明する。
図１（ａ）及び図１（ｂ）に示すように、布保持具１００は、固定部材１１０と、カバー部材１２０と、布保持機構１３０と、を備える。
【００１７】
固定部材１１０は、布保持機構１３０を支持する。詳細には、固定部材１１０は、カバー部材１２０を介して布保持機構１３０を支持する。図２（ｂ）〜（ｃ）に示すように、固定部材１１０の裏面側の盤面には突出部１１５が形成される。突出部１１５の側周面には凹部１１１ａが形成される。
【００１８】
固定部材１１０は、服１０の外側面に固定することができる。
図３（ａ）及び図３（ｂ）に示すように、固定部材１１０は、以下の手順で服１０の外側面（服１０の表側面）に固定される。まず、突出部１１５が服１０に外側（表側）から押し付けられて、次に、服１０の裏面側から、服１０を介して、突出部１１５の凹部１１１ａに、輪ゴム１３が掛けられる。その結果、固定部材１１０が服１０の外側面に固定される。
【００１９】
図４（ａ）〜図６に示すように、固定部材１１０には、その盤面を貫通する複数の孔１１１が形成される。
固定部材１１０は、リュックサック２０のショルダーベルト２１、チェストベルト２２、及びウエストベルト２３に固定することができる。
固定部材１１０は、以下の手順でリュックサック２０のショルダーベルト２１（チェストベルト２２、ウエストベルト２３）に固定される。まず、固定部材１１０の孔１１１に結束バンド１１を挿通させて、次に、この結束バンド１１で、固定部材１１０と、リュックサック２０のショルダーベルト２１（チェストベルト２２、ウエストベルト２３）と、を結束するようにして、結束バンド１１を締める。その結果、固定部材１１０がショルダーベルト２１（チェストベルト２２、ウエストベルト２３）に固定される。このとき、複数の結束バンド１１を用いて固定部材１１０を固定してもよい。なお、結束バンド１１で固定部材１１０を固定するように構成する場合は、結束バンド１１の巻き付く位置に合わせて固定部材１１０に溝を形成して、固定部材１１０の固定時に結束バンド１１が当該溝により滑り止めされるように構成してもよい。これにより、結束バンド１１の位置ずれを防ぐことができる。なお、本実施形態では、複数の突出部１１５の間の空間が前記溝を形成している。本実施形態では、格子状の前記溝が形成されている（図２（ｂ）参照）。
また、カバー部材１２０に結束バンド１１を通すための孔１２０ａを形成して（図１（ｂ）参照）、孔１２０ａに結束バンド１１（結束バンド１１よりも幅広な面ファスナーベルトでもよい）を通して、この結束バンド１１でカバー部材１２０を固定し、これによりカバー部材１２０を介して固定部材１１０をショルダーベルト２１、チェストベルト２２、及びウエストベルト２３のいずれかに締め付けて固定してもよい。この場合、孔１２０ａの形状、位置、数等については本実施形態のものに限定されず適宜決定される。このように構成することで、結束バンド１１で固定した後、結束バンド１１の余った部分の端末を、カバー部材１２０に設けた布保持機構１３０の切れ目１３１を通じてカバー部材１２０の外側へ出して保持した状態で、切断具をカバー部材１２０の孔１２０ａから内側に入れて、この切断具で、結束バンド１１の余った部分を、カバー部材１２０の内側で根本から切断することができる。また、このように構成することで、カバー部材１２０を直接に、ショルダーベルト２１、チェストベルト２２、及びウエストベルト２３に固定することができる。すなわち、布保持具を、カバー部材１２０と布保持機構１３０とで構成し、固定部材１１０を有しない構成とすることができる。このようにしてカバー部材１２０をショルダーベルト２１、チェストベルト２２、及びウエストベルト２３に固定した場合、結束バンド１１が孔１２０ａを介してカバー部材１２０の内側に挿通されるので、この固定された箇所がカバー部材１２０で保護される。
【００２０】
固定部材１１０は、その盤面が略長方形に形成される。これにより、例えば、固定部材１１０を、幅広のショルダーベルト２１（太目のベルト）に固定する場合は、固定部材１１０の短辺をショルダーベルト２１の延びる方向に沿うように配置すればよい（図４（ａ）、図４（ｂ）、及び図６参照）。また、固定部材１１０を、幅狭のチェストベルト２２、ウエストベルト２３等の（細めのベルト）に固定する場合は、固定部材１１０の長辺をチェストベルト２２、ウエストベルト２３の延びる方向に沿うように配置すればよい（図５（ａ）、図５（ｂ）、及び図６参照）。これにより、固定部材１１０の固定される対象物の幅寸法が異なる場合でも、固定部材１１０を固定することができ、汎用性を向上させることが可能となる。
また、固定部材１１０の辺に沿って孔１１１を三つ以上形成することで、固定部材１１０を固定する対象物の寸法に合わせて、結束バンド１１を通す二つの孔１１１を選択することが可能となる。これにより、固定部材１１０を、寸法の異なる様々な種類の対象物に固定することが可能となり、汎用性が向上する。このことは、下記の第二実施形態の孔２１１、第三実施形態の孔３１１ａ・３２３ａ・３２４ａ・３２７ａ、第四実施形態の孔４１１についても同様のことがいえる。
【００２１】
図７（ａ）〜図７（ｃ）に示すように、カバー部材１２０は、固定部材１１０の表面側に取り付けられている。
固定部材１１０の表面側の盤面には、カバー部材１２０を取り付けるための突起部１１２が設けられている。カバー部材１２０の外周部が突起部１１２に引っ掛けられることによって、カバー部材１２０が固定部材１１０に取り付けられる。
【００２２】
人が装着しているリュックサック２０のショルダーベルト２１、チェストベルト２２、ウエストベルト２３及び服１０の外側面に、固定部材１１０がそれぞれ固定されたとき、この人から見て、カバー部材１２０が固定部材１１０の外側に配置される（図３（ａ）、図３（ｂ）、及び図６参照）。これにより、布保持具１００の固定された箇所を、カバー部材１２０で保護することができる。その結果、布保持具１００の固定された箇所に、木の枝、人の手等の障害物が接触して、布保持具１００が意図せずにショルダーベルト２１等の固定された箇所から外れ、又は外れそうになることを防ぐことができる。
なお、固定部材１１０の孔１１１に安全ピン等を通して、固定部材１１０をベルト２１・２２・２３、服１０に固定するように構成してもよい。この場合も、固定部材１１０の固定箇所をカバー部材１２０で保護することができる。
また、結束バンド１１で固定部材１１０を固定して、結束バンド１１の余った部分１１ａを切断した場合、カバー部材１２０で結束バンド１１の切り口をカバーして、結束バンド１１の切り口が露出することを防ぐことができる。これにより、人が結束バンド１１の切り口に接触することを防ぐことができる。
【００２３】
図８（ａ）〜図９（ｂ）に示すように、布保持機構１３０は、タオル１の端末を揺れないように保持する。布保持機構１３０は、カバー部材１２０に設けられている。布保持機構１３０は、シリコン等の弾性変形可能な素材に切れ目１３１を形成した構造を有する。布保持機構１３０の切れ目１３１が形成される面は、カバー部材１２０から露出している。切れ目１３１には、タオル１の末端を挿入することができる。切れ目１３１は、タオル１を挿入された状態を保持することができる。
図１０に示すように、人の首にタオル１が掛けられたとき、タオル１の端末が人の前側（胸の前部付近）で垂れ下がった状態になる。そして、固定部材１１０がリュックサック２０のショルダーベルト２１、チェストベルト２２、ウエストベルト２３及び服１０の外側面にそれぞれに固定されたとき、人の首に掛けられているタオル１の端末を、切れ目１３１に挿入することができるように構成される。このときに、タオル１の端末が切れ目１３１に挿入されることで、タオル１の端末が切れ目１３１で挟まれて固定される。その結果、タオル１の端末が揺れないように保持される。これにより、人が歩行等の動作を行っている時にタオル１の端末が揺れて邪魔になったり、障害物に引っ掛かったりすることを防ぐことが可能である。
なお、汗を拭く場合等、タオル１の端末を用いるときは、人はタオル１の端末を切れ目１３１から引き抜いて使用すればよい。タオル１の使用後は、人はタオル１の端末を切れ目１３１に挿入することで、タオル１の端末が邪魔になることなく、円滑に歩行等の動作を継続できる。
また、布保持機構１３０によりタオル１の端末が保持されることでタオル１を落としてしまうことを防止できる。
また、布保持機構１３０の切れ目１３１にタオル１（特に、タオル１の長手方向の中間部分）を挿入して、タオル１を布保持機構１３０から落ちないように保持するように構成してもよい。この場合、タオル１は人の首に掛けられていない状態で、切れ目１３１に挿入されており、切れ目１３１からはみ出た部分（タオル１の端末側の部分）は垂れ下がった状態になる。これにより、タオル１を携帯することができる。
従って、切れ目１３１には、タオル１の端末を挿入してタオル１の端末を保持するように構成してもよく、タオル１の長手方向の中間部分を挿入してタオル１の中間部分を保持するように構成してもよい。
【００２４】
また、固定部材１１０の外周部に輪ゴム１３を切断するための切断溝１１３を設け、カバー部材１２０の外周部に、輪ゴム１３を切断するための切断溝１２３を設けてもよい（図２（ｂ）、図２（ｃ）、図８（ａ）参照）。これにより、固定部材１１０を服１０から取り外す際の輪ゴム１３の切断作業を円滑に行うことができる。
【００２５】
また、固定部材１１０に、袋３０及び／又はタオル１を携帯するための携帯部材１４０を連結可能に構成してもよい。以下では、携帯部材１４０について説明する。
図１１（ａ）〜図１２（ｂ）、図３６に示すように、携帯部材１４０は、フック部１４１と、フレーム部材１４２と、回動部材１４３と、を有する。
フレーム部材１４２には、袋３０に一体的に設けられるベルトを通すためのスリット１４２ａと、リュックサック２０のベルト２１・２２・２３に固定するときに用いる結束バンド１１を通すための孔１４２ｂが形成される。フレーム部材１４２には、服１０に固定するときに輪ゴム１３を掛ける輪ゴム掛部１４５が形成される（図３６参照）。フレーム部材１４２には、回動部材１４３が取り付けられている。回動部材１４３は、フレーム部材１４２の盤面に沿うように配置される。回動部材１４３は、その一端部１４３ａがフレーム部材１４２にピン等の固定具１４４で取り付けられ、その一端部１４３ａを中心にして回動することができる。回動部材１４３は、その他端部１４３ｂがフレーム部材１４２に近接する方向Ｅ１に付勢されている。回動部材１４３は、前記付勢力により、その他端部１４３ｂをフレーム部材１４２に近接する方向Ｅ１に回動させて、回動部材１４３とフレーム部材１４２との間に、袋３０及び／又はタオル１を挟持することができる。袋３０及び／又はタオル１が回動部材１４３で挟持されている状態から、人が指の力で回動部材１４３の他端部１４３ｂを、フレーム部材１４２から離間する方向Ｅ２に回動させることで、袋３０及び／又はタオル１を取り外すことができる。このように、固定部材１１０に携帯部材１４０を連結可能に構成することで、人が袋３０及び／又はタオル１を手で持たなくても、袋３０及び／又はタオル１を携帯でき、布保持具１００の利便性を向上させることができる。例えば、携帯部材１４０で予備のタオル１を携帯すればよい。
回動部材１４３の形状は特に限定されない。回動部材１４３の他端部１４３ｂをフレーム部材１４２から離間する側へ曲げるように形成することで（図１２（ａ）、図１２（ｂ）参照）、タオル１及び袋３０を回動部材１４３とフレーム部材１４２との間に入れやすくなる。
フレーム部材１４２には、フック部１４１が形成される。図１３（ａ）及び図１３（ｂ）に示すように、固定部材１１０及びカバー部材１２０には、携帯部材１４０を連結するための孔１１４・１２４が形成される。孔１１４・１２４に、フック部１４１を引っ掛けることで、固定部材１１０に携帯部材１４０が連結される。孔１１４・１２４は、固定部材１１０の長辺側の縁部と、短辺側の縁部の両方に設けられる。固定部材１１０が横向き（長辺が略水平に延びる向き）に固定された場合は、長辺側の縁部の孔１１４・１２４に携帯部材１４０を連結すればよく（図１３（ａ）参照）、固定部材１１０が縦向き（長辺が略鉛直に延びる向き）に固定された場合は、短辺側の縁部の孔１１４・１２４に携帯部材１４０を連結すればよい（図１３（ｂ）参照）。これにより、携帯部材１４０を適正に連結することができる。
なお、固定部材１１０と携帯部材１４０を、面ファスナー付ベルト等の他の部材を用いて連結するように構成してもよい。
袋３０は、メッシュ状、網目状に構成される場合は、タオル１等の収容物の乾燥を促進させることができる。
袋３０は、気密性を有する場合は、濡れた布等を収容することで、収容物の乾燥の防ぐことができる。これにより、ウェットタオル等の水分を含んだ布を携帯することが可能となる。
なお、図１１（ａ）に示すように、回動部材１４３を、固定具１４４を中心にして矢印Ｘ方向に回動自在に構成して、矢印Ｘ方向の回動角度を調整可能に構成してもよい（回転ストッパー）。すなわち、回動部材１４３は、フレーム部材１４２における袋３０及び／又はタオル１が配置される面に平行な面上で固定具１４４を中心にして回動する。前記回転ストッパーは、フレーム部材１４２と回動部材１４３の間にタオル１を抜き差しした時、Ｘ方向への回動部材１４３の不要な回転を防ぐことができる。また、前記回転ストッパーが回動部材１４３のＸ方向の回転を防いでいるとき、この回転防止は指で容易に解除できる。
これにより、フレーム部材１４２上に、袋３０の口が上下左右のいずれの方向に開くように配置しても、回動部材１４３の矢印Ｘ方向の回動角度を袋３０の口に干渉しないように調整することで、袋３０の口を開けることができる。よって、フレーム部材１４２上の袋３０の口が上下左右のいずれの方向に開く場合でも対応することができる。
なお、携帯部材１４０（フレーム部材１４２、回動部材１４３等）の任意の場所に図３０と同様の端末保持部３２１を設けてもよい。これにより、フレーム部材１４２の輪ゴム掛部１４５に輪ゴム１３を掛けて携帯部材１４０を服１０に固定するように構成することで、携帯部材１４０を、布保持具１００・２００とは独立させて単独で用いることができる。
【００２６】
［第二実施形態］
布保持具の第二実施形態である布保持具２００について説明する。
以下の説明においては、布保持具１００との相違点に着目して説明し、布保持具１００と同じ構成については、同一符号を付して詳細な説明は省略する。
【００２７】
図１４（ａ）及び図１４（ｂ）に示すように、布保持具２００は、固定部材２１０と、カバー部材２２０と、布保持機構と、を備える。
【００２８】
固定部材２１０は、前記布保持機構を支持する。固定部材２１０には、その盤面を貫通する複数の孔２１１が形成される。
固定部材２１０は、リュックサック２０のショルダーベルト２１、チェストベルト２２、及びウエストベルト２３に固定することができる。
図１６（ａ）及び図１６（ｂ）に示すように、固定部材２１０は、以下の手順でリュックサック２０のショルダーベルト２１（チェストベルト２２、ウエストベルト２３）に固定される。まず、固定部材２１０の孔２１１に結束バンド１１を挿通させて、次に、この結束バンド１１で、固定部材２１０と、リュックサック２０のショルダーベルト２１（チェストベルト２２、ウエストベルト２３）と、を結束するようにして、結束バンド１１を締める。その結果、固定部材２１０がショルダーベルト２１（チェストベルト２２、ウエストベルト２３）に固定される（図６参照）。このとき、複数の結束バンド１１を用いて固定部材２１０を固定してもよい。なお、結束バンド１１で固定部材２１０を固定するように構成する場合は、結束バンド１１の巻き付く位置に合わせて固定部材２１０に溝を形成して、固定部材２１０の固定時に結束バンド１１が当該溝により滑り止めされるように構成してもよい。これにより、結束バンド１１の位置ずれを防ぐことができる。
【００２９】
なお、固定部材２１０を服１０の外側面に固定するように構成してもよい。この場合、例えば、第一実施形態のように、固定部材２１０に輪ゴム１３用の溝２１５を形成する。これにより、服１０の裏面側から、服１０を介して、固定部材２１０の溝２１５に、輪ゴム１３を掛けることで、固定部材２１０を服１０の外側面に固定することができる（図３（ａ）及び図３（ｂ）参照）。
【００３０】
固定部材２１０は、その盤面が略長方形に形成される。これにより、例えば、固定部材２１０を、幅広のショルダーベルト２１に固定する場合は、固定部材２１０の短辺をショルダーベルト２１の延びる方向に沿うように配置すればよい（図４（ａ）、図４（ｂ）、及び図６参照）。また、固定部材２１０を、幅狭のチェストベルト２２、ウエストベルト２３に固定する場合は、固定部材２１０の長辺をチェストベルト２２、ウエストベルト２３の延びる方向に沿うように配置すればよい（図５（ａ）、図５（ｂ）、及び図６参照）。これにより、固定部材２１０の固定される対象物の幅寸法が異なる場合でも、固定部材２１０を固定することができ、汎用性を向上させることが可能となる。
【００３１】
図１７（ａ）及び図１７（ｂ）に示すように、カバー部材２２０は、固定部材２１０の表面側に配置される。
カバー部材２２０は、その一端部２２１が固定部材２１０に回動可能に取り付けられる。カバー部材２２０は、その一端部２２１を中心にして回動することで、固定部材２１０に対して開閉する（図１８参照）。カバー部材２２０は、その一端部２２１を中心にして、閉じる方向Ｆ１と開く方向Ｆ２とに回動することができる。カバー部材２２０と固定部材２１０は、バネ２４０で連結されている。カバー部材２２０は、バネ２４０により、固定部材２１０に対して閉じる方向Ｆ１に付勢されている（図１８参照）。
カバー部材２２０が開く方向Ｆ２へ回動することで、カバー部材２２０の他端部２２２が固定部材２１０から離間して、カバー部材２２０が固定部材２１０に対して開いた状態になる（図１８参照）。これにより、カバー部材２２０と固定部材２１０との間にタオル１を出し入れすることが可能となる。
また、カバー部材２２０が閉じる方向Ｆ１へ回動することで、カバー部材２２０の他端部２２２が固定部材２１０に近接して、カバー部材２２０が固定部材２１０に対して閉じた状態（略平行な状態）になる（図１７（ｂ）参照）。これにより、カバー部材２２０と固定部材２１０との間にタオル１を挟むことが可能となる（図１９（ａ）及び図１９（ｂ）参照）。
【００３２】
前記布保持機構は、第一機構２３１と、第二機構２３２とで構成される。
【００３３】
図１４（ａ）に示すように、前記布保持機構の第一機構２３１は、タオル１の端末を揺れないように保持する為に設けられる。第一機構２３１は、固定部材２１０の表面に固定される。第一機構２３１は、シリコン等の弾性変形可能な素材に切れ目２３１ａを形成した構造を有する。切れ目２３１ａには、タオル１の末端を挿入することができる。切れ目２３１ａは、タオル１を挿入された状態を保持することができる。
人の首にタオル１が掛けられたとき、タオル１の端末が人の前側（胸の前部付近）で垂れ下がった状態になる（図１０参照）。そして、固定部材２１０がリュックサック２０のショルダーベルト２１、チェストベルト２２、ウエストベルト２３及び服１０の外側面にそれぞれに固定されたとき、人の首に掛けられているタオル１の端末を、切れ目２３１ａに挿入することができるように構成される。このときに、タオル１の端末が切れ目２３１ａに挿入されることで、タオル１の端末が切れ目２３１ａで挟まれて固定される。その結果、タオル１の端末が揺れないように保持される（図１０参照）。これにより、人が歩行等の動作を行っている時にタオル１の端末が揺れて邪魔になったり、障害物に引っ掛かったりすることを防ぐことが可能である。
なお、汗を拭く場合等、タオル１の端末を用いるときは、人はタオル１の端末を切れ目２３１ａから引き抜いて使用すればよい。タオル１の使用後は、人はタオル１の端末を切れ目２３１ａに挿入することで、タオル１の端末が邪魔になることなく、円滑に歩行等の動作を継続できる。
また、前記布保持機構の第一機構２３１によりタオル１の端末が保持されることでタオル１を落としてしまうことを防止できる。
【００３４】
図１４（ａ）に示すように、カバー部材２２０は、中央部に貫通孔２２３が形成される。カバー部材２２０が固定部材２１０に対して閉じられた状態のときに、固定部材２１０の表面側から見て、第一機構２３１が貫通孔２２３の内側に存在しており、第一機構２３１が貫通孔２２３を介して露出している。これにより、貫通孔２２３を介して、第一機構２３１の切れ目２３１ａに、タオル１の末端を挿入することができる。
【００３５】
図１４（ａ）に示すように、固定部材２１０を表面側から見たとき、カバー部材２２０の貫通孔２２３の内側に第一機構２３１が配置され、カバー部材２２０と第一機構２３１との間に複数の孔２１１が配置され、複数の孔２１１が第一機構２３１の外周に沿って並んでいる。
【００３６】
図１８、図１９（ａ）及び図１９（ｂ）に示すように、前記布保持機構の第二機構２３２は、カバー部材２２０と固定部材２１０との間にタオル１が配置されている状態で、カバー部材２２０を固定部材２１０に対して閉じることで、タオル１をカバー部材２２０と固定部材２１０とで挟んで、タオル１をカバー部材２２０と固定部材２１０との間から落ちないように保持する。このとき、バネ２４０の付勢力により、カバー部材２２０を固定部材２１０に対して閉じている状態が保持され、これにより、タオル１がカバー部材２２０と固定部材２１０とで挟まれている状態が維持される。その結果、タオル１がカバー部材２２０と固定部材２１０との間から落ちないように保持される。これにより、人が手でタオル１を持たなくてもタオル１を携帯できる。この状態から、カバー部材２２０が固定部材２１０に対して開かれることで、タオル１を取り出して使用することができる。
【００３７】
図１５に示すように、固定部材２１０に、携帯部材１４０（第一実形態参照）を連結するための切欠２１２を形成してもよい。切欠２１２は略Ｌ字状に形成され、携帯部材１４０のフック部１４１を引っ掛けることができる。これにより、固定部材２１０に、袋３０及び／又はタオル１を携帯するための携帯部材１４０を連結でき、布保持具２００の利便性を向上させることができる（図２０（ａ）及び図２０（ｂ）参照）。なお、固定部材２１０と携帯部材１４０とを面ファスナー付ベルト等の他の部材を用いて連結するように構成してもよい。
また、固定部材２１０をベルト２１・２２・２３に固定するときに、切欠２１２にベルト２１・２２・２３又は面ファスナー付ベルトを通すように構成してもよい。
【００３８】
なお、図２１（ａ）及び図２１（ｂ）に示すように、固定部材２１０と、カバー部材２２０とを、柱部２５０で連結してもよい。固定部材２１０の表面側から見て、柱部２５０は、固定部材２１０の孔２１１よりも外側に複数設けられ、カバー部材２２０に沿って並置される。固定部材２１０とカバー部材２２０は、柱部２５０を介して間隔を空けて平行に配置される。
図２２（ａ）及び図２２（ｂ）に示すように、このように構成する場合、固定部材２１０は、以下の手順で服１０の外側面に固定される。まず、固定部材２１０が服１０に外側から押し付けられて、次に、服１０の裏面側から、服１０を介しつつ、全ての柱部２５０を囲むようにして、輪ゴム１３が掛けられる。その結果、固定部材２１０が服１０の外側面に固定される。
なお、このように構成する場合、固定部材２１０及びカバー部材２２０の外周部に、輪ゴム１３を切断するための凹部２１４・２２４を形成してもよい。これにより、固定部材２１０を服１０から取り外す際の輪ゴム１３の切断作業を円滑に行うことができる。
また、上記のように、結束バンド１１を用いて、固定部材２１０とショルダーベルト２１（チェストベルト２２、ウエストベルト２３）を固定してもよい（図１６（ａ）及び図１６（ｂ）参照）。
結束バンド１１を用いて、固定部材２１０とショルダーベルト２１（チェストベルト２２、ウエストベルト２３）を固定する場合、結束バンド１１の余った部分１１ａをカバー部材２２０の内側に持ってくることができる。これにより、固定部材２１０とカバー部材２２０との間に切断具１２の先端を挿入して、切断具１２で結束バンド１１の余った部分１１ａを切断でき、このとき、カバー部材２２０が結束バンド１１の切り口をガードしているので、結束バンド１１の余った部分１１ａの切断をより安全に行える（図２３参照）。
【００３９】
人が装着しているリュックサック２０のショルダーベルト２１、チェストベルト２２、ウエストベルト２３及び服１０の外側面に、固定部材２１０がそれぞれに固定されたとき、この人から見て、カバー部材２２０が固定部材２１０の外側に配置される。これにより、布保持具２００の固定された箇所を、カバー部材２２０で保護することができる。その結果、布保持具２００の固定された箇所に、木の枝、人の手等の障害物が接触して、布保持具２００が意図せずにショルダーベルト２１等の固定された箇所から外れ、又は外れそうになることを防ぐことができる。
なお、固定部材２１０に、ベルト２１・２２・２３に引っ掛けるための引掛部２１３を形成して（図１４（ｂ）参照）、引掛部２１３にベルト２１・２２・２３を引っ掛けることで、固定部材２１０をベルト２１・２２・２３に固定してもよい。この場合も結束バンド１１を用いて固定部材２１０をベルト２１・２２・２３に固定した場合と同様の効果を奏する。
また、本実施形態では第一機構２３１を固定部材２１０に固定したが、これに限定されず、第一機構２３１をカバー部材２２０に固定してもよい。この場合、第一機構２３１をカバー部材２２０に固定するために、カバー部材２２０の貫通孔２２３の一部又は全部を塞いでもよい。
【００４０】
［第三実施形態］
布保持具の第三実施形態である布保持具３００について説明する。
以下の説明においては、布保持具１００・２００との相違点に着目して説明し、布保持具１００・２００と同じ構成については、同一符号を付して詳細な説明は省略する。
【００４１】
図２４（ａ）に示すように、布保持具３００は、固定部材３１０と、カバー部材３２０と、布保持機構と、を備える。
【００４２】
固定部材３１０は、前記布保持機構を支持する。
固定部材３１０は、底部３１１を備える。
【００４３】
底部３１１は、板状の部材である。底部３１１には、その盤面を貫通する孔３１１ａが複数形成されている。
【００４４】
カバー部材３２０は、底部３１１から立ち上がる壁部と、カバー部３２８と、を備える。
前記壁部は、対向配置される一対の側壁部３２３と、一対の側壁部３２３の間に架設される端壁部３２４と、を有する。また、底部３１１において、一対の側壁部３２３との間には、端壁部３２４と対向するように対向壁部３２７が設けられている。
底部３１１、一対の側壁部３２３、及び端壁部３２４で囲まれた空間を保持空間３１５と称する。
底部３１１、一対の側壁部３２３、端壁部３２４及び対向壁部３２７には、複数の孔３１１ａ・３２３ａ・３２４ａ・３２７ａがそれぞれ形成される。孔３１１ａ・３２３ａ・３２４ａ・３２７ａは、タオル１の乾燥を促進させるための通気孔、及び、結束バンド１１等の紐状部材、弾性部材、その他の結合部品を挿通させるための孔、またはネジ穴他として用いられる。
【００４５】
カバー部３２８は、保持空間３１５を介して、底部３１１と対向配置される。カバー部３２８の基端部３２８ａは、対向壁部３２７にピン等の固定具３２２で取り付けられている。カバー部３２８の基端部３２８ａは、その末端に底部３１１側へ突出する突起部３２８ｃを設けており、タオル１を引っ掛けたり外したりするときに、突起部３２８ｃがカバー部３２８の回転ストッパーとして機能し、カバー部３２８が固定具３２２を中心に回転することを防いでいる。なお、対向壁部３２７を設けずに、カバー部３２８を底部３１１に取り付けるように構成してもよい。カバー部３２８の先端部３２８ｂは、端壁部３２４側へ突出している。底部３１１を保持空間３１５側からみたとき、カバー部３２８は保持空間３１５の一部を覆うように配置される（図２４（ｂ）参照）。
カバー部３２８は、板材を湾曲させた形状を有しており、弾性変形可能に構成される。
なお、カバー部３２８の形状はこれに限定されず、カバー部３２８の全部又は一部を平板状のストレート形状に形成してもよい。また、カバー部３２８は、曲げ形状とストレート形状が混在していてもよい。カバー部３２８の先端部を底部３１１から離間する側へ曲げるように形成することで、タオル１を保持空間３１５に入れやすくなる。
【００４６】
図２５（ａ）〜図２６に示すように、前記布保持機構は、保持空間３１５に配置されたタオル１を、保持空間３１５から落ちないようにカバー部３２８でおさえて保持する。
カバー部３２８は、弾性変形可能に構成される。カバー部３２８は、閉じる方向Ｃ１と、開く方向Ｃ２に変形できる。
カバー部３２８は、外力が加えられていないときは、閉じる方向Ｃ１へ変形する。このとき、カバー部３２８の先端部３２８ｂが端壁部３２４に近接して、カバー部３２８が底部３１１に近接して対向している状態になる（図２５（ａ）及び図２６参照）。この状態を、カバー部３２８が閉じている状態と称する。
カバー部３２８は、外力を加えられることで屈曲して、開く方向Ｃ２へ変形することができる。これによりカバー部３２８の先端部３２８ｂが、端壁部３２４及び底部３１１から離間した状態になる（図２５（ｂ）参照）。この状態を、カバー部３２８が開いている状態と称する。
図２５（ｂ）に示すように、カバー部３２８が開いている状態のとき、保持空間３１５にタオル１を配置することが可能となる。このとき、保持空間３１５にタオル１を配置したとする。図２５（ａ）及び図２６に示すように、その後、カバー部３２８の外力を解放することで、カバー部３２８が、閉じる方向Ｃ１へ変形して、タオル１を底部３１１との間に挟む。その結果、タオル１が保持空間３１５から落ちないように、カバー部３２８でおさえられる。これにより、人が手でタオル１を持たなくてもタオル１を携帯することができる。
なお、図２６は、タオル１が布保持具３００に装着されたときの、タオル１の実際の姿勢を示すものではなく、説明の便宜上、理解を容易にするために示したものである。実際は、布保持具３００の姿勢に合わせて、タオル１の端末が布保持具３００から垂れ下がった状態になる。本実施形態では、布保持具３００は、カバー部３２８の基端部３２８ａが下向きに配置され、カバー部３２８の先端部３２８ｂが上向きに配置されるような姿勢で装着され（図２４（ｂ）参照）、タオル１の端末は、カバー部３２８の両側部から垂れ下がった状態になる。
【００４７】
なお、本実施形態ではカバー部３２８を弾性変形可能に構成したが、本発明はこれに限定されない。例えば、カバー部３２８が、基端部３２８ａを中心にして、閉じる方向Ｃ１と開く方向Ｃ２に回動できるように構成してもよい。そして、カバー部３２８が、閉じる方向Ｃ１へ回動するように付勢されているように構成する。
この場合、カバー部３２８は、外力を加えられることで、開く方向Ｃ２へ回動することができる。これによりカバー部３２８が開いている状態になる。
カバー部３２８が開いている状態のとき、保持空間３１５にタオル１を配置することが可能となる。このとき、保持空間３１５にタオル１を配置したとする。その後、カバー部３２８の外力を解放することで、カバー部３２８が、閉じる方向Ｃ１へ回動して、タオル１を底部３１１との間に挟む。その結果、タオル１が保持空間３１５から落ちないように、カバー部３２８でおさえられる。これにより、人が手でタオル１を持たなくてもタオル１を携帯することができる。
【００４８】
なお、タオル１を折りたたんで、タオル１全体を保持空間３１５内に収容して、カバー部３２８でタオル１全体をおさえて、タオル１全体を保持空間３１５内に保持することもできる。これにより、側壁部３２３と端壁部３２４でタオル１の周囲を囲むことができるので、タオル１全体をより確実に保持できる。
【００４９】
固定部材３１０（詳細には、底部３１１）は、リュックサック２０のショルダーベルト２１、チェストベルト２２、及びウエストベルト２３に固定することができる。
図２７（ａ）及び図２７（ｂ）に示すように、固定部材３１０は、以下の手順でリュックサック２０のショルダーベルト２１（チェストベルト２２、ウエストベルト２３）に固定される。まず、底部３１１の孔３１１ａに結束バンド１１を挿通させて、次に、この結束バンド１１で、底部３１１と、リュックサック２０のショルダーベルト２１（チェストベルト２２、ウエストベルト２３）と、を結束するようにして、結束バンド１１を締める。その結果、固定部材３１０がショルダーベルト２１（チェストベルト２２、ウエストベルト２３）に固定される（図６参照）。このとき、複数の結束バンド１１を用いて固定部材３１０を固定してもよい。
【００５０】
図２８（ａ）〜図２９（ｂ）に示すように、固定部材３１０の底部３１１の孔３１１ａ（図２７（ａ）参照）に、紐部材３４０の両端をネジ、フック等の固定具３４１で固定し、紐部材３４０と底部３１１との間にリュックサック２０のショルダーベルト２１（チェストベルト２２、ウエストベルト２３）を通すことで、固定部材３１０をショルダーベルト２１（チェストベルト２２、ウエストベルト２３）に固定するように構成してもよい（図２９（ａ）及び図２９（ｂ）参照）。このとき、二本の紐部材３４０を、底部３１１にたすきがけ状に固定してもよい。また、このとき、複数（例えば、二本）の紐部材３４０を、底部３１１に平行に固定してもよい。
なお、図２８（ａ）〜図２９（ｂ）に示す場合において、紐部材３４０に替えて棒状クリップを用い、前記棒状クリップの一端は底部３１１の孔３１１ａにネジで固定して、前記棒状クリップの他端にはフックを設けて前記フックを底部３１１の孔３１１ａの枠部に引っ掛けて固定するように構成してもよい。これにより、工具等を用いずに手作業で前記棒状クリップの他端（フック）を底部３１１の孔３１１ａに固定する作業、及び、孔３１１ａから外す作業を行えるので、固定部材３１０をベルト２１・２２・２３に固定する作業を円滑に行える。以下では、この構成について詳細に説明する。
第一・第二棒状クリップの長さは、固定部材３１０の対角線よりも長いものとする。第一・第二棒状クリップの他端にフック（鈎状突起）を設け、一端には二つの孔（第一孔、第二孔）を設ける。第一孔は、第二孔よりもフック寄りに設けられる。このように第一・第二棒状クリップに複数の孔（第一孔・第二孔）を設けるのは、一種類の第一・第二棒状クリップで、第一・第二棒状クリップを平行に配置する場合と（図２８（ａ））、Ｘ状に配置する場合（図２９（ａ））の両方に対応することができるようにするためである。フックから第一孔までの長さは、固定部材３１０の長手方向の辺と同様の長さとし、フックから第二孔までの長さは固定部材３１０の対角線と同様の長さとする。第一・第二棒状クリップは、弾性変形可能に構成され、その全体又は一部を反らせて、第一・第二棒状クリップと固定部材３１０の間にベルト２１・２２・２３を挟むことで、その反発力（弾性力）でベルト２１・２２・２３を押えて固定部材３１０に固定させるように構成してもよい。このように反発力が作用することで、固定部材３１０をベルト２１・２２・２３により強固に固定でき、固定部材３１０の位置ずれを防止できる。
以下では、第一・第二棒状クリップを固定部材３１０に取り付ける手順について説明する。なお、固定部材３１０の孔Ｓ１〜Ｓ４の位置については、図２７（ａ）に示している。
まず、図２８（ａ）と同様に、第一棒状クリップを固定部材３１０の長手方向に沿わせて配置し、その他端のクリップを固定部材３１０の角の孔Ｓ１の枠部に引っ掛けて固定する。第一棒状クリップの一端の第一孔は、ネジ（牡状の留め具）で固定部材３１０の角の孔Ｓ２に固定する。同様に、第二棒状クリップの他端（フック）を固定部材３１０の孔Ｓ３に固定し、一端の第一孔を固定部材３１０の孔Ｓ４に固定する。これにより、図２８（ａ）と同様に、第一・第二棒状クリップが平行に配置され、固定部材３１０をベルト２１・２２・２３に固定することができる。このように、固定部材３１０の長手方向に平行に第一・第二棒状クリップを配置すれば、ＭＯＬＬＥシステムにも対応できる。
また、図２９（ａ）と同様に、第一・第二棒状クリップを対角線方向にＸ状に配置して、第一棒状クリップの他端（フック）を固定部材３１０の孔Ｓ１に固定し、一端の第二孔を固定部材３１０の孔Ｓ４に固定し、第二棒状クリップの他端（フック）を固定部材３１０の孔Ｓ３に固定し、一端の第二孔を固定部材３１０の孔Ｓ２に固定するように構成してもよい。これにより、図２９（ａ）と同様に、第一・第二棒状クリップが固定部材３１０の対角線方向にＸ状に配置され、固定部材３１０をベルト２１・２２・２３に固定することができる。
なお、結束バンド１１で固定部材３１０を固定するように構成する場合は、結束バンド１１の巻き付く位置に合わせて固定部材３１０に溝を形成して、固定部材３１０の固定時に結束バンド１１が当該溝により滑り止めされるように構成して、これにより、結束バンド１１が位置ずれしないように構成してもよい。
【００５１】
また、一対の側壁部３２３の孔３２３ａに、結束バンド１１、面ファスナー付ベルト等の紐部材を挿通させて、リュックサック２０のショルダーベルト２１（チェストベルト２２、ウエストベルト２３）と、を結束するようにして、この紐部材を締めることで、固定部材３１０をショルダーベルト２１（チェストベルト２２、ウエストベルト２３）に固定するように構成してもよい。
なお、底部３１１の孔３１１ａ、端壁部３２４の孔３２４ａ、及び／又は、対向壁部３２７の孔３２７ａも、結束バンド１１、面ファスナー付ベルト等の紐部材を挿通させて、固定部材３１０をショルダーベルト２１（チェストベルト２２、ウエストベルト２３）に固定するために用いてもよい。
この場合、孔３１１ａ・３２３ａ・３２４ａ・３２７ａは、結束バンド１１、面ファスナー付ベルト等の紐部材が挿通できるような形状、大きさに適宜変更される。また、孔３１１ａ・３２３ａ・３２４ａ・３２７ａに接続部品を通して、ショルダーベルト２１等に固定部材３１０を固定した場合、固定部材３１０のショルダーベルト２１等からの取り外しが容易になる。
また、底部３１１の四隅の孔３１１ａをＬ字状に形成することで（図３３参照）、結束バンド１１より幅広な面ファスナーなどを使うベルトを縦または横に通すことができ、太いベルト（ショルダーベルト２１）への取り付けにも、細いベルト（チェストベルト２２、ウエストベルト２３）への取り付けにも対応することができる。
図３４は、側壁部３２３の孔３２３ａの変形例を示し、この長手の孔３２３ａにウエストベルト２３を通している動作を示している。これにより、固定部材３１０をウエストベルト２３に固定することができる。なお、この長手の孔３２３ａを用いて、固定部材３１０をショルダーベルト２１に固定することもでき、チェストベルト２２に固定することもできる。なお、図３４に示した長手の孔３２３ａを底部３１１に、引掛部３１１ｂを側壁部３２３に設けてもよい。
図３５に示すように、底部３１１にベルト２１・２２・２３に引っ掛けるための引掛部３１１ｂを形成してもよい。図３５は、引掛部３１１ｂにウエストベルト２３を通している動作を示している。これにより、固定部材３１０をウエストベルト２３に固定することができる。なお、この引掛部３１１ｂを用いて、固定部材３１０をショルダーベルト２１に固定することもでき、チェストベルト２２に固定することもできる。また、図３５における引掛部３１１ｂの向きは固定部材３１０の長手方向の辺がベルト２１・２２・２３の延びる方向に沿うように装着する様になっているが、図３５とは異なる方向、形状の引掛部３１１ｂを設けてもよい。
また、側壁部３２３、端壁部３２４、対向壁部３２７において、保持空間３１５の外側に張り出しを設け、そこに各種孔を開けて、多様な装着方法を可能にしてもよい。
【００５２】
なお、上記第一実施形態に示すように、固定部材３１０の底部３１１の裏面側の盤面に突出部を形成して、この突出部に輪ゴム１３を掛けるための溝を形成してもよい（図３（ｂ）参照）。これにより、この溝に輪ゴム１３を掛けて、固定部材３１０を服１０の外側面に固定することが可能となる（図３（ｂ）参照）。なお、この輪ゴム１３を掛けるための溝を側壁部３２３に形成してもよい。
また、底部３１１の外周部に輪ゴム１３を切断するための切断溝３１６を形成してもよい（図３３参照）。これにより、固定部材３１０を服１０から取り外す際の輪ゴム１３の切断作業を円滑に行うことができる。
【００５３】
固定部材３１０の底部３１１は、その盤面が略長方形に形成される。これにより、例えば、固定部材３１０を、幅広のショルダーベルト２１に固定する場合は、固定部材３１０の底部３１１の短辺をショルダーベルト２１の延びる方向に沿うように配置すればよい（図２７（ａ）、図２８（ａ）、及び図２９（ａ）参照）。また、固定部材３１０を、幅狭のチェストベルト２２、ウエストベルト２３に固定する場合は、固定部材３１０の底部３１１の長辺をチェストベルト２２、ウエストベルト２３の延びる方向に沿うように配置すればよい（図２７（ｂ）、図２８（ｂ）、及び図２９（ｂ）参照）。これにより、固定部材３１０の固定される対象物の幅寸法が異なる場合でも、固定部材３１０を固定することができ、汎用性を向上させることが可能となる。
【００５４】
人が装着しているリュックサック２０のショルダーベルト２１、チェストベルト２２、ウエストベルト２３及び服１０の外側面に、固定部材３１０がそれぞれに固定されたとき、この人から見て、カバー部材３２０が固定部材３１０（詳細には、底部３１１）の外側に配置される。これにより、布保持具３００の固定された箇所を、カバー部材３２０で保護することができる。その結果、布保持具３００の固定された箇所に、木の枝、人の手等の障害物が接触して、布保持具３００が意図せずにショルダーベルト２１等の固定された箇所から外れ、又は外れそうになることを防ぐことができる。
【００５５】
図３０に示すように、前記布保持機構は、人の首に掛けられているタオル１の端末を揺れないように保持する端末保持部３２１を有するように構成してもよい。端末保持部３２１は、カバー部３２８に設けられる。端末保持部３２１は、シリコン等の弾性変形可能な素材に切れ目３２１ａを形成した構造を有する。切れ目３２１ａには、タオル１の末端を挿入することができる。切れ目３２１ａは、タオル１を挿入された状態を保持することができる。
人の首にタオル１が掛けられたとき、タオル１の端末が人の前側（胸の前部付近）で垂れ下がった状態になる（図１０参照）。そして、固定部材３１０がリュックサック２０のショルダーベルト２１、チェストベルト２２、ウエストベルト２３及び服１０の外側面にそれぞれに固定されたとき、人の首に掛けられているタオル１の端末を、端末保持部３２１の切れ目３２１ａに挿入することができるように構成される。このときに、タオル１の端末が切れ目３２１ａに挿入されることで、タオル１の端末が切れ目３２１ａで挟まれて固定される。その結果、タオル１の端末が揺れないように保持される（図１０参照）。これにより、人が歩行等の動作を行っている時にタオル１の端末が揺れて邪魔になったり、障害物に引っ掛かったりすることを防ぐことが可能である。
なお、汗を拭く場合等、タオル１の端末を用いるときは、人はタオル１の端末を切れ目３２１ａから引き抜いて使用すればよい。タオル１の使用後は、人はタオル１の端末を切れ目３２１ａに挿入することで、タオル１の端末が邪魔になることなく、円滑に歩行等の動作を継続できる。
また、端末保持部３２１によりタオル１の端末が保持されることでタオル１を落としてしまうことを防止できる。
【００５６】
上記のように、カバー部３２８に端末保持部３２１を形成した場合、保持空間３１５に配置されたタオル１を、保持空間３１５から落ちないようにカバー部３２８で保持することができ、さらに、人の首に掛けられているタオル１の端末を端末保持部３２１で保持することができる。これにより、タオル１保持機能をより向上させることができる。
【００５７】
なお、カバー部３２８を図２４に示すものよりも大きくして、カバー部３２８は保持空間３１５の全部を覆うように構成してもよい。すなわち、カバー部３２８の表面積を図２４に示すものよりも拡大することで、カバー部３２８が、保持空間３１５の蓋になるように構成して、閉じられたときに保持空間３１５を閉塞できるように構成する。これにより、より確実に、タオル１を保持空間３１５から落ちないように保持することが可能となる。
また、カバー部３２８を大きくすることで、タオル１等の布を保持空間３１５内に収容したときに、布全体をカバー部３２８で覆い、布を完全に隠すことができ、かつ、カバー部３２８の外周面に広範囲に装飾を施すことができるので、見栄えを良くしつつ、布を携帯できる。また、カバー部３２８に孔をあけることで通気性が良くなり、当該孔の配置を工夫することで装飾性を高めることができる。
また、側壁部３２３の端部に切欠部を設け、保持空間３１５に収容されたタオル１の端部が切欠部から保持空間３１５の外側へ垂れ下がるように構成してもよい。
第三実施形態の布保持具３００は、第一実施形態の布保持具１００、第二実施形態の布保持具２００と併用して、人の首に掛けられたタオル１を首から落ちないように保持することができる。例えば、首に掛けたタオル１の右端を右胸に位置した第一実施形態のカバー部材１２０で固定し、タオル１の左端を左胸に位置した第三実施形態の端末保持部３２１で固定することができる。また、第三実施形態の端末保持部３２１は、第一実施形態のカバー部材１２０、又は第二実施形態の第一機構２３１と部品共通化をすることができる。
【００５８】
また、カバー部材３２０の一部又は全部を、シリコン等の柔軟材料で構成してもよい。また、固定部材３１０の一部又は全部をシリコン等の柔軟材料で構成してもよい。これにより、固定部材３１０・カバー部材３２０が人の身体に当ったときに衝撃を緩和でき、かつ、人の腕の動作の妨げになることを緩和できる。
【００５９】
［第四実施形態］
布保持具の第四実施形態である布保持具４００について説明する。
以下の説明においては、布保持具１００・２００・３００との相違点に着目して説明し、布保持具１００・２００・３００と同じ構成については、同一符号を付して詳細な説明は省略する。
【００６０】
図３１（ａ）及び図３１（ｂ）に示すように、布保持具４００は、固定部材４１０と、取付部材４２０と、カバー部材４１０ａ・４２０ａと、布保持機構と、を備える。
【００６１】
固定部材４１０は、前記布保持機構を支持する。固定部材４１０は、第三実施形態の底部３１１と同様の構成又は相当する構成を有している。従って、固定部材４１０は、上記した第三実施形態の底部３１１と同様の方法又は相当する方法で、リュックサック２０のショルダーベルト２１、チェストベルト２２、ウエストベルト２３及び服１０の外側面のそれぞれに固定することができるように構成されるので、その詳細な説明は省略する。
なお、図３１（ａ）に示すように、固定部材４１０に複数の孔４１１を形成して、孔４１１に結束バンド１１等の紐状部材を挿通させて、この紐部材で固定部材４１０をショルダーベルト２１、チェストベルト２２、又はウエストベルト２３に締め付けて固定するように構成してもよい。結束バンド１１で固定部材４１０を固定するように構成する場合は、結束バンド１１の巻き付く位置に合わせて固定部材４１０に溝を形成して、固定部材４１０の固定時に結束バンド１１が当該溝により滑り止めされるように構成してもよい。これにより、結束バンド１１の位置ずれを防ぐことができる。
また、固定部材４１０と対向部４２１とを連結する連結部材４２２（図３１（ｂ）参照）に任意の形状・数のバンド孔を設けてもよい。そして、固定部材４１０をベルト２１・２２・２３に固定するときに、対向部４２１を間に挟んで配置される孔４１１・４１１に結束バンド１１を通して、このときに、結束バンド１１を前記バンド孔に通して固定部材４１０と対向部４２１との間の空間に配置させるように構成してもよい。
図３１（ａ）及び図３１（ｂ）に示すように、固定部材４１０と、取付部材４２０とには、カバー部材４１０ａ・４２０ａがそれぞれ取り付けられている。カバー部材４１０ａ・４２０ａは、孔４１１に略対向するように延在する。これにより、カバー部材４１０ａ・４２０ａで結束バンド１１の切り口をカバーすることができる。これにより、人が結束バンド１１の切り口に接触することを防ぐことができる。
なお、固定部材４１０を服１０の外側面に固定する場合は、固定部材４１０とカバー部材４１０ａ・４２０ａとの間の空間（図３１（ｂ）参照）を、輪ゴム１３を掛けるための溝として利用してもよい。これにより、固定部材４１０とカバー部材４１０ａ・４２０ａとの間の空間に、服１０を介して、輪ゴム１３を掛けることで、固定部材４１０を服１０に固定することができる。この場合、固定部材４１０の外周部に、輪ゴム１３を切断するための切断溝を形成してもよい。これにより、固定部材４１０を服１０から取り外す際の輪ゴム１３の切断作業を円滑に行うことができる。
【００６２】
人が装着しているリュックサック２０のショルダーベルト２１、チェストベルト２２、ウエストベルト２３及び服１０の外側面に、固定部材４１０がそれぞれに固定されたとき、この人から見て、取付部材４２０及びカバー部材４１０ａ・４２０ａが固定部材４１０の外側に配置され、詳細には、カバー部材４１０ａ・４２０ａが固定部材４１０の孔４１１の外側に配置される。これにより、布保持具４００の固定された箇所を、カバー部材４１０ａ・４２０ａで保護することができる。その結果、布保持具４００の固定された箇所に、木の枝、人の手等の障害物が接触して、布保持具４００が意図せずにショルダーベルト２１等の固定された箇所から外れ、又は外れそうになることを防ぐことができる。
なお、固定部材４１０において、対向部４２１と対向する箇所（図３１（ａ）において、対向部４２１と重なっている箇所）に、例えば、引掛部を形成して、この引掛部にベルト２１・２２・２３を通して、固定部材４１０をベルト２１・２２・２３に固定するように構成してもよい（図３５参照）。このように、固定部材４１０において、取付部材４２０の対向部４２１に対向する箇所（図３１（ａ）において、対向部４２１に重なっている箇所）に固定部材４１０を固定するように構成する場合は、対向部４２１が、布保持具４００の固定された箇所をカバーするカバー部材として機能する。
【００６３】
図３１（ａ）及び図３１（ｂ）に示すように、取付部材４２０は固定部材４１０に取り付けられている。取付部材４２０は、固定部材４１０に対向配置される対向部４２１を有している。取付部材４２０には複数の通気孔４２０ｂが形成されている。固定部材４１０と対向部４２１との間の空間を対向空間４４０と称する。
【００６４】
前記布保持機構は、対向空間４４０において、突起部材４５１・４５２を設けて、対向部４２１と固定部材４１０との間に挿入されたタオル１を突起部材４５１・４５２で挟持することにより対向空間４４０から落ちないように保持する（図３２（ａ）及び図３２（ｂ）参照）。
図３１（ａ）及び図３１（ｂ）に示すように、突起部材４５１・４５２は、複数設けられている。突起部材４５１・４５２は、弾性変形可能な素材で構成される。突起部材４５１・４５２は、対向空間４４０において、対向部４２１と固定部材４１０との互いに対向する面にそれぞれ固定されている。また、突起部材４５１・４５２は、対向空間４４０の外周部に設けられる。なお、突起部材４５１・４５２の設置個所や形状は、本実施形態のものには限定されず、タオル１の保持のしやすさ等を考慮して適宜決定される。
対向部４２１に固定される突起部材４５１と、固定部材４１０に固定される突起部材４５２とは、交互に配列されている。また、対向空間４４０において、突起部材４５１の固定部材４１０側へ突出する寸法Ｈ１と、突起部材４５２の対向部４２１側へ突出する寸法Ｈ２との和は、固定部材４１０と対向部４２１との間隔寸法Ｄ１よりも大きい（Ｈ１＋Ｈ２＞Ｄ１）。これにより、図３２（ａ）及び図３２（ｂ）に示すように、対向空間４４０において、対向部４２１と固定部材４１０との間にタオル１が挿通されたとき、タオル１を突起部材４５１・４５２に引っかけることができる。これにより、タオル１が、突起部材４５１・４５２で両側から挟まれて挟持される。その結果、タオル１を、対向空間４４０から落ちないように保持することが可能となる。これにより、人が手でタオル１を持たなくてもタオル１を携帯できる。
なお、図３２（ａ）は、タオル１が布保持具４００に装着されたときの、タオル１の実際の姿勢を示すものではなく、説明の便宜上、理解を容易にするために示したものである。実際は、布保持具４００の姿勢に合わせて、タオル１の端末が布保持具４００から垂れ下がった状態になる。
【００６５】
なお、固定部材４１０・取付部材４２０・連結部材４２２の一部又は全部をシリコン等の柔軟材料で構成してもよい。これにより、固定部材４１０・取付部材４２０・連結部材４２２が人の身体に当ったときに衝撃を緩和でき、かつ、人の腕の動作の妨げになることを緩和できる。
【００６６】
図３１（ａ）及び図３１（ｂ）に示すように、対向部４２１において、突起部材４５１が設けられている側とは反対側の面に露出するように端末保持部３２１（第三実施形態参照）を設けてもよい。
人の首にタオル１が掛けられたとき、タオル１の端末が人の前側（胸の前部付近）で垂れ下がった状態になる（図１０参照）。そして、固定部材４１０がリュックサック２０のショルダーベルト２１、チェストベルト２２、ウエストベルト２３及び服１０の外側面にそれぞれに固定されたとき、人の首に掛けられているタオル１の端末を、端末保持部３２１の切れ目３２１ａに挿入することができるように構成される。このときに、タオル１の端末が切れ目３２１ａに挿入されることで、タオル１の端末が切れ目３２１ａで挟まれて固定される。その結果、タオル１の端末が揺れないように保持される（図１０参照）。これにより、人が歩行等の動作を行っている時にタオル１の端末が揺れて邪魔になったり、障害物に引っ掛かったりすることを防ぐことが可能である。
なお、汗を拭く場合等、タオル１の端末を用いるときは、人はタオル１の端末を切れ目３２１ａから引き抜いて使用すればよい。タオル１の使用後は、人はタオル１の端末を切れ目３２１ａに挿入することで、タオル１の端末が邪魔になることなく、円滑に歩行等の動作を継続できる。
また、布保持機構３２１によりタオル１の端末が保持されることでタオル１を落としてしまうことを防止できる。
第四実施形態の布保持具４００は、第一実施形態の布保持具１００、第二実施形態の布保持具２００と併用して、人の首に掛けられたタオル１を首から落ちないように保持することができる。
【００６７】
第一実施形態〜第四実施形態の布保持具１００・２００・３００・４００は、市販のタオル１を用いることができ、用いるタオル１に加工を施す必要がない。これにより、タオル１を交換する場合でも既製品のタオル１で対応することができ、利便性の点で有利である。
また、布保持具１００・２００・３００・４００を抗菌材料で構成すれば、布保持具１００・２００・３００・４００の清潔性を向上させることができる点で有利である。
また、布保持具１００・２００・３００・４００のサイズは、布保持具１００・２００・３００・４００の使用環境、保持対象となる布のサイズ、種類等に応じて適宜決定され、本実施形態のものに限定されない。
また、固定部材１１０・２１０・３１０・４１０をベルト２１・２２・２３に固定するための接続部品については本実施形態のものに限定されない。例えば、特願２００４−１８７０９３に記載のバックルを応用して用いてもよい。
【符号の説明】
【００６８】
１      タオル
１０    服
２０    リュックサック
２１    ショルダーベルト
２２    チェストベルト
２３    ウエストベルト
１００・２００・３００・４００  布保持具
１１０・２１０・３１０・４１０  固定部材
１２０・２２０・３２０・４１０ａ・４２０ａ  カバー部材
１３０  布保持機構
【図１】
2017079888.tif 000003
【図２】
2017079888.tif 000004
【図３】
2017079888.tif 000005
【図４】
2017079888.tif 000006
【図５】
2017079888.tif 000007
【図６】
2017079888.tif 000008
【図７】
2017079888.tif 000009
【図８】
2017079888.tif 000010
【図９】
2017079888.tif 000011
【図１０】
2017079888.tif 000012
【図１１】
2017079888.tif 000013
【図１２】
2017079888.tif 000014
【図１３】
2017079888.tif 000015
【図１４】
2017079888.tif 000016
【図１５】
2017079888.tif 000017
【図１６】
2017079888.tif 000018
【図１７】
2017079888.tif 000019
【図１８】
2017079888.tif 000020
【図１９】
2017079888.tif 000021
【図２０】
2017079888.tif 000022
【図２１】
2017079888.tif 000023
【図２２】
2017079888.tif 000024
【図２３】
2017079888.tif 000025
【図２４】
2017079888.tif 000026
【図２５】
2017079888.tif 000027
【図２６】
2017079888.tif 000028
【図２７】
2017079888.tif 000029
【図２８】
2017079888.tif 000030
【図２９】
2017079888.tif 000031
【図３０】
2017079888.tif 000032
【図３１】
2017079888.tif 000033
【図３２】
2017079888.tif 000034
【図３３】
2017079888.tif 000035
【図３４】
2017079888.tif 000036
【図３５】
2017079888.tif 000037
【図３６】
2017079888.tif 000038